(57)【要約】【課題】連動引戸において、全ての戸を複雑な構造にすることを不要にさせ、施工性やメンテナンス性を向上させることを課題とする。【解決手段】一方に第一の戸３１又は壁３４が隣接し他方に第二の戸３３が隣接した第三の戸３２に連動機構４０を備え、該連動機構は、前記第一の戸３１又は壁３４において前記第三の戸３２に対向する面に接触して前記第一の戸３１又は壁３４と前記第三の戸３２とが相対的に開閉動作する際に回る第一の接触部５０と、前記第二の戸３３において前記第三の戸３２に対向する面に接触して前記第二の戸３３と前記第三の戸３２とが相対的に開閉動作する際に回る第二の接触部６０と、同じ向きに回るように前記第一の接触部５０の回る動作と前記第二の接触部６０の回る動作とを連動させる連動手段７０とを設けた。【選択図】図１
2009091756.tif 000002
【特許請求の範囲】
【請求項１】
並行して配された複数の戸を有する連動引戸であって、
一方に第一の戸又は壁が隣接し他方に第二の戸が隣接した第三の戸に連動機構を備え、該連動機構は、前記第一の戸又は壁において前記第三の戸に対向する面に接触して前記第一の戸又は壁と前記第三の戸とが相対的に開閉動作する際に回る第一の接触部と、前記第二の戸において前記第三の戸に対向する面に接触して前記第二の戸と前記第三の戸とが相対的に開閉動作する際に回る第二の接触部と、同じ向きに回るように前記第一の接触部の回る動作と前記第二の接触部の回る動作とを連動させる連動手段とを有することを特徴とする連動引戸。
【請求項２】
前記第一の接触部が前記第三の戸から前記第一の戸又は壁に向かって付勢され、前記第二の接触部が前記第三の戸から前記第二の戸に向かって付勢されていることを特徴とする請求項１に記載の連動引戸。
【請求項３】
前記第一の接触部と前記第一の戸又は壁において前記第一の接触部と接触する部位との少なくとも一方に、該部位と前記第一の接触部との摩擦力を増加させる手段が設けられ、
前記第二の接触部と前記第二の戸において前記第二の接触部と接触する部位との少なくとも一方に、該部位と前記第二の接触部との摩擦力を増加させる手段が設けられていることを特徴とする請求項１又は請求項２に記載の連動引戸。
【請求項４】
前記第三の戸が框、又は、框及び中桟を有する戸とされ、
前記連動機構が前記框、又は、前記框及び前記中桟に設けられていることを特徴とする請求項１〜請求項３のいずれか一項に記載の連動引戸。
【発明の詳細な説明】
【技術分野】
【０００１】
本発明は、並行して配された複数の戸を有する連動引戸に関する。
【背景技術】
【０００２】
浴室の出入口には、引戸タイプの扉が広く採用されている。特許文献１には、ドア枠に対して３枚の戸を重合状かつ摺動自在に納めた３枚引きの浴室引戸が記載されている。
【０００３】
なお、浴室引戸の技術ではないが、特許文献２に記載されるように、平行に配される３枚の戸をドア枠でスライド自在に支持して戸の開閉動作を連動させるようにした三連式引戸も知られている。同文献に記載される三連式引戸は、３枚の戸のうちの中央の戸が上端において両側端部にプーリを備えるとともに該プーリに架け渡された無端ワイヤを備えている。この無端ワイヤに固定された２つの連結部のうちの一方の連結部が３枚の戸のうちの片側の戸に上端部で連結され、他方の連結部が３枚の戸のうちの他側の戸に上端部で連結されている。ここで、両連結部は、隣接した戸の方向に突出した突起とされている。隣接した戸は、該突起がはまり込む凹部を一面に備えている。そして、各突起が各凹部にはまり込んで係合することにより、中央の戸と片側の戸とが連結され、また、中央の戸と他側の戸とが連結されている。
以上より、上記片側の戸を固定した状態で上記他側の戸を開閉操作すると、上記中央の戸が上記他側の戸の１／２の移動速度で開閉動作する。
【０００４】
また、特許文献３には、戸の開閉方向にわたる長尺状の掘込ベースを戸の上端面または下端面に取り付け、この掘込ベースの内部の端部に複数のプーリを設け、これら複数のプーリの間に無端条体を掛け渡し、隣接する戸に係合されるスライダを無端条体に固設した連動引戸が記載されている。スライダは、隣接する戸と係合する係合片を有している。一方、隣接する戸は、スライダの係合片と嵌合する係合溝を有するガイド受け部材が設けられている。
ガイド受け部材にスライダが係合していることにより、上述した隣接する戸を開閉操作すると、掘込ベースを取り付けた戸が上述した隣接する戸の１／２の移動速度で開閉動作する。
【０００５】
さらに、特許文献４には、前側吊戸の上端面の両端部に取付手段を介して一対の滑車を設け、後側吊戸に接続する第一の継手と薄壁に接続する第二の継手とを備えた無端ロープを両滑車に巻回した連動装置が記載されている。第一の継手は薄壁の方立に固設され、第二の継手は後側吊戸の内側端面に固定されている。従って、後側吊戸を開閉操作すると、前側吊戸が後側吊戸の１／２の移動速度で開閉動作する。
【特許文献１】特開平１０−２２０１２１号公報
【特許文献２】特許第３０３５２２４号公報
【特許文献３】特開２００３−８２９３３号公報
【特許文献４】特開平１−１６５８９４号公報
【発明の開示】
【発明が解決しようとする課題】
【０００６】
隣接した戸同士を部材同士の係合や固設により連結して連動させる機構を設けると、連動させるための構造を全ての戸に設ける必要がある。従って、連動引戸の全ての戸が複雑な構造となってしまう。特に、浴室引戸は、戸の上端部と下端部に止水構造や気密構造を設ける必要がある。このため、戸の上端や下端で戸同士を部材同士の係合や固設により連結すると、戸の上端部や下端部に止水構造や気密構造を設け難くなる。
また、戸同士を部材同士の係合や固設により連結して物理的に接続すると、ドア枠に対して各戸を単体で着脱し難くなるため、連動引戸の施工性やメンテナンス性が良くないことになる。
【０００７】
本発明は、上記課題に鑑みてなされたもので、連動引戸において、全ての戸を複雑な構造にすることを不要にさせ、施工性やメンテナンス性を向上させることを目的とする。
【課題を解決するための手段】
【０００８】
上記目的を達成するため、本発明は、並行して配された複数の戸を有する連動引戸であって、一方に第一の戸又は壁が隣接し他方に第二の戸が隣接した第三の戸に連動機構を備え、該連動機構は、前記第一の戸又は壁において前記第三の戸に対向する面（第一の対向面とする）に接触して前記第一の戸又は壁と前記第三の戸とが相対的に開閉動作する際に回る第一の接触部と、前記第二の戸において前記第三の戸に対向する面（第二の対向面とする）に接触して前記第二の戸と前記第三の戸とが相対的に開閉動作する際に回る第二の接触部と、同じ向きに回るように前記第一の接触部の回る動作と前記第二の接触部の回る動作とを連動させる連動手段とを有することを特徴とする。
【０００９】
すなわち、第三の戸に対向する面に接触した両接触部の回る動作が同じ向きに回るように連動するので、第二の戸と第三の戸とが相対的に開動作するときには第一の対向面に接触した第一の接触部が第一の戸又は壁と第三の戸とを相対的に開動作させる。一方、第二の戸と第三の戸とが相対的に閉動作するときには、第一の接触部が第一の戸又は壁と第三の戸とを相対的に閉動作させる。
また、第一の戸又は壁と第三の戸とが相対的に開動作するときには、第二の対向面に接触した第二の接触部が第二の戸と第三の戸とを相対的に開動作させる。一方、第一の戸又は壁と第三の戸とが相対的に閉動作するときには、第二の接触部が第二の戸と第三の戸とを相対的に閉動作させる。
以上により、複数の戸が連動して引戸が開閉する。
【００１０】
ここで、第一の接触部が第一の対向面に接触して回る動作をするだけで第一の戸又は壁と第三の戸とが相対的に開閉動作し、第二の接触部が第二の対向面に接触して回る動作をするだけで第二の戸と第三の戸とが相対的に開閉動作するので、第一の戸又は壁及び第二の戸の構造が複雑とならない。
また、連動引戸を構成する戸同士の間が物理的に接続されていないので、各戸を単体で着脱することが容易となる。
従って、全ての戸を複雑な構造とする必要が無く、連動引戸の施工性やメンテナンス性が向上する。
【００１１】
ところで、本発明を適用可能な複数の戸には、平行に配される複数の戸のみならず、曲線状の各レールに沿って配される複数の戸等のように、平行でない状態で並行して配された複数の戸が含まれる。
戸が４枚以上、又は、上記壁があって戸が３枚以上の場合、連動機構を複数の戸に設けてもよい。ここで、上記第三の戸は一方に第一の戸又は壁が隣接し他方に第二の戸が隣接した戸であればよく、ある戸を第三の戸とみた場合に該第三の戸の一方に隣接する戸を第一の戸として該第三の戸の他方に隣接する戸を第二の戸とするものとする。従って、第一の戸は第三の戸に隣接した面とは反対側に戸が隣接することがあり、第二の戸は第三の戸に隣接した面とは反対側に戸が隣接することがある。
第一及び第二の接触部の回る動作には、回転動作や周回動作が含まれる。
第一及び第二の接触部には、回転可能なローラ、周回可能な無端材、等が含まれる。
第一の戸又は壁と第三の戸とが相対的に開閉動作することには、第一の戸と第三の戸がともに開閉動作すること、第三の戸が動作せずに第一の戸が開閉動作すること、第一の戸又は壁が動作せずに第三の戸が開閉動作すること、が含まれる。第二の戸と第三の戸とが相対的に開閉動作することには、第二の戸と第三の戸がともに開閉動作すること、第三の戸が動作せずに第二の戸が開閉動作すること、第二の戸が動作せずに第三の戸が開閉動作すること、が含まれる。
同じ向きに回るように回る動作を連動させることは、接触部の回る中心となる軸に沿った同じ方向（例えば上又は下）から見て、一方の接触部が右回りなら他方の接触部も右回り、一方の接触部が左回りなら他方の接触部も左回りとなるように連動させることをいい、第一の接触部の回る中心となる軸と第二の接触部の回る中心となる軸とが平行である場合のみならず、これらの軸が平行でない場合も含まれる。
【発明の効果】
【００１２】
請求項１に係る発明によれば、全ての戸を複雑な構造とすることを不要にさせ、連動引戸の施工性やメンテナンス性を向上させることが可能となる。
請求項２、請求項３に係る発明では、第一の接触部と第一の戸又は壁とが滑りにくくなり、第二の接触部と第二の戸とが滑りにくくなるので、より確実に戸の開閉動作を連動させることができる。
請求項４に係る発明では、連動機構が目に付きにくいので、連動引戸の見た目を向上させることができる。
【発明を実施するための最良の形態】
【００１３】
（１）連動引戸の構成：
図１は本発明の一実施形態に係る浴室用の連動引戸１０を示す斜視図、図２は縦枠２３の図示を省略して連動引戸１０を図１の左側面から見て示す図、図３（ａ）は蓋材７２の図示を省略して連動ユニット４０の構成を示す平面図、図３（ｂ）は連動ユニット４０の要部を示す分解斜視図、図３（ｃ）はローラ５０，６０がねじりコイルばね７３，７４の付勢力に抗して退避方向へ移動した様子を示す平面図である。
【００１４】
図１に示すように、連動引戸１０は、浴室１と脱衣室Ｒ１との間に設置したドア枠２０に対して横滑り可能な３枚の戸３１，３２，３３を並行して配している。ドア枠２０は、長手方向を左右方向に向けて配置された上枠２１及び下枠２２、並びに、長手方向を上下方向に向けて配置された縦枠２３，２３で構成されている。本実施形態の引戸１０は上吊式の引戸であり、左右の戸３１，３３には従来から存在する上吊式の戸を用いている。そして、中央の戸（第三の戸）３２に、接触部５０，６０及び連動手段７０を有する連動ユニット（連動機構）４０を設けている。
なお、本実施形態では本発明にいう第一の戸を浴室側の戸３１、第二の戸を脱衣室側の戸３３として説明するが、第一の戸や第二の戸は発明を表現するための便宜的な記載にすぎないため、脱衣室側の戸３３が第一の戸、浴室側の戸３１が第二の戸となってもよい。
【００１５】
各戸３１，３２，３３は、長手方向を上下方向に向けた左右の縦框３０ａ，３０ｂ、長手方向を左右方向に向けた上框３０ｃと下框３０ｄと中桟３０ｅ、ガラス等の面材３０ｆ，３０ｇ、縦框３０ａ，３０ｂの上に取り付けられた左右のランナー部材３０ｈ，３０ｈを有している。図２に示すように、上枠２１には、ランナー部材３０ｈを挿入するための３条の平行な溝からなるレール２１ａが設けられている。従って、各戸３１，３２，３３は、ランナー部材３０ｈでレール２１ａに吊られ、該レールの各溝に沿って平行に配される。むろん、各戸３１，３２，３３の開閉方向Ｄ１は上框３０ｃの長手方向であり、浴室側の戸３１を固定する場合に図１の左へ進む方向が開方向Ｄ２で右へ進む方向が閉方向Ｄ３となる。
框３０ａ，３０ｂ，３０ｃ，３０ｄや中桟３０ｅは、合成樹脂や金属の成形品、木材の加工品、等を用いることができ、塗装されていてもよい。また、縦框間の止水のため図１に示すパッキンＰ１が縦框３０ｂに設けられ、上框３０ｃ及び縦框３０ａ，３０ｂの上端とレール２１ａとの間の止水のため図２に示すパッキンＰ２がレール２１ａ（又は上框３０ｃ）に設けられ、下框３０ｄ及び縦框３０ａ，３０ｂの下端と下枠２２との間の止水のため図２に示すパッキンＰ３が下框３０ｄ（又は下枠２２）に設けられる。
【００１６】
連動ユニット４０は、中央の戸３２の縦框３０ａ，３０ｂ及び中桟３０ｅに設けられている。この連動ユニット４０は、中央の戸の縦框３０ａから浴室側へ一部突出した第一のローラ（第一の接触部）５０と、中央の戸の縦框３０ｂから脱衣室側へ一部突出した第二のローラ（第二の接触部）６０と、両ローラの回転動作（回る動作）を連動させる連動手段７０とを有している。
【００１７】
第一のローラ５０は、上下に向いた回転軸を中心として水平面内で回転可能であり、浴室側で隣接する第一の戸３１において中央の戸３２に対向する面（第一の対向面）３１ａに接触し、この状態で戸３１，３２が相対的に開閉動作する際に回転する（回る）。すなわち、浴室側の戸３１に対して中央の戸３２が開方向Ｄ２へ相対的に移動すればローラ５０が上から見て右回りに回転し、浴室側の戸３１に対して中央の戸３２が閉方向Ｄ３へ相対的に移動すればローラ５０が左回りに回転する。
第二のローラ６０は、上下に向いた回転軸を中心として水平面内で回転可能であり、脱衣室側で隣接する第二の戸３３において中央の戸３２に対向する面（第二の対向面）３３ａに接触し、この状態で戸３２，３３が相対的に開閉動作する際に回転する。すなわち、中央の戸３２に対して脱衣室側の戸３３が開方向Ｄ２へ相対的に移動すればローラ６０が上から見て右回りに回転し、中央の戸３２に対して脱衣室側の戸３３が閉方向Ｄ３へ相対的に移動すればローラ６０が左回りに回転する。
【００１８】
なお、戸の対向面にローラが接触していることには、対向する戸にローラが係合していたり連結していたりすることが含まれない。すなわち、戸の対向面にローラが接触していると、各戸を脱衣室側から順番に脱衣室側へ外すときに係合や連結を解除することなく各戸が分離され、対向する戸に対するローラの接触位置が各戸の位置関係に応じて変わる。
【００１９】
図３に示すように、連動手段７０は、ケース７１、蓋材７２、ねじりコイルばね７３，７４、傾動部材７５，７６、プーリ７７，７８、無端ワイヤ（無端材）７９，８１，８２、を有している。ローラ５０，６０の表面５１，６１には、ワイヤ８１，８２を入れるための溝が形成されている。
ケース７１には、ねじりコイルばね７３，７４と傾動部材７５，７６とプーリ７７，７８に挿入するための支軸７１ａ，７１ｂや、傾動部材７５，７６の軸部７５ａ，７６ａの一端を挿入して傾動部材７５，７６の傾動範囲を所定範囲に規制する長穴７１ｃ，７１ｄが形成されている。蓋材７２には、支軸７１ａ，７１ｂの先端部を挿入するための支軸挿入穴（７２ｂのみ破線で図示）や、傾動部材の軸部７５ａ，７６ａの他端を挿入して傾動部材７５，７６の傾動範囲を所定範囲に規制する長穴（７２ｄのみ破線で図示）が形成されている。
【００２０】
ねじりコイルばね７３，７４と傾動部材７５，７６とプーリ７７，７８には、上記支軸７１ａ，７１ｂが挿入される。傾動部材７５，７６は、ローラ５０，６０とプーリ７７，７８を上下に挟む２枚の本体部の他、長穴７１ｃ，７１ｄ（，７２ｄ）に挿入する軸部７５ａ，７６ａ、長手方向を上下に向けてローラ５０，６０を回転可能に軸支する軸部７５ｂ，７６ｂ、を有し、支軸７１ａ，７１ｂを中心として傾動可能とされている。ねじりコイルばね７３，７４は、支軸７１ａ，７１ｂを中心として傾動部材７５，７６をそれぞれ戸３１，３３の方向へ付勢する。これにより、中央の戸３２から浴室側の戸３１に向かう内方向Ｄ４及びその反対方向へ所定範囲内で進退可能とされた第一のローラ５０が内方向Ｄ４へ付勢される。また、中央の戸３２から脱衣室側の戸３３に向かう外方向Ｄ５及びその反対方向へ所定範囲内で進退可能とされた第二のローラ６０が外方向Ｄ５へ付勢される。従って、ローラ５０，６０は、図３（ｃ）に示すように、中央の戸３２の方へ押されるとばね７３，７４による付勢力に抗して退避する。
【００２１】
プーリ７７は、支軸７１ａを中心として回転可能とされ、表面にワイヤ７９，８１を入れるための溝が形成されている。プーリ７８は、支軸７１ｂを中心として回転可能とされ、表面にワイヤ７９，８２を入れるための溝が形成されている。両プーリ７７，７８には、ワイヤ７９が交叉しないように架け渡されている。また、ローラ５０とプーリ７７とにワイヤ８１が交叉しないように架け渡され、ローラ６０とプーリ７８とにワイヤ８２が交叉しないように架け渡されている。従って、ローラ５０，６０とプーリ７７，７８は、回転動作が同じ向きの回転、すなわち、上又は下から見て全て右回り又は全て左回りとなるように連動する。
ここで、ローラ５０，６０に同じ形状のローラを用い、プーリ７７，７８に同じ形状のプーリを用いると、ローラ５０，６０の回転速度が同じになり、戸３１，３２の相対的な移動速度と戸３２，３３の相対的な移動速度が同じになる。
【００２２】
上述したケース７１、蓋材７２、傾動部材７５，７６、プーリ７７，７８には、合成樹脂や金属の成形品、木材の加工品、等を用いることができる。ローラ５０，６０及びプーリ７７，７８を架け渡す無端材は、無端ベルト等でもよい。ローラ５０，６０には、ゴムや合成樹脂や金属の成形品、木材の加工品、等を用いることができる。滑り止めの観点から、図９（ａ）（ｂ）に示すように、ローラの表面にゴム等の滑り止め材５２，５３を設けてもよい。
【００２３】
以上の構成を有する連動引戸１０は、例えば、以下のようにして形成され、浴室１の出入口に設けられる。
連動ユニット４０を形成する際、ローラ５０，６０とプーリ７７，７８とにワイヤ８１，８２を架け渡し、ローラ５０，６０に傾動部材の軸部７５ｂ，７６ｂを通し、プーリ７７，７８にワイヤ７９を架け渡し、ローラ５０，６０とプーリ７７，７８とを傾動部材７５，７６の２枚の本体部で挟む。次に、ケースの支軸７１ａ，７１ｂにねじりコイルばね７３，７４を嵌め、傾動部材の軸部７５ａ，７６ａをケースの長穴７１ｃ，７１ｄに挿入しながら、プーリ７７，７８を間に挟んだ傾動部材７５，７６を支軸７１ａ，７１ｂに嵌める。最後に、支軸７１ａ，７１ｂの先端部を蓋材の支軸挿入穴（７２ｂ）に挿入し軸部７５ａ，７６ａの上端部を蓋材の長穴（７２ｄ）に挿入するように蓋材７２をメース７１に被せると、連動ユニット４０が形成される。
【００２４】
中央の戸３２については、ローラ５０，６０の一部を突出させるための開口を縦框３０ａ，３０ｂに形成する。次に、中桟３０ｅを構成する部材に連動ユニット４０を挿入し、連動ユニット４０を挿入した中桟３０ｅと、上下の框３０ｃ，３０ｄと、面材３０ｆ，３０ｇとを組み合わせ、その後、開口を有する縦框３０ａ，３０ｂを組み合わせ、ローラ５０の一部を中央の戸の浴室面３２ａから突出させローラ６０の一部を中央の戸の脱衣室面３２ｂから突出させた状態とする。さらに、ランナー部材３０ｈやパッキンＰ１〜Ｐ３を組み付けると、中央の戸が形成される。
浴室１の出入口に上枠２１や下枠２２や縦枠２３，２３を設置してドア枠２０を形成すると、浴室側から順に１枚ずつ戸３１，３２，３３を取り付けていくことにより、戸同士を係合させたり連結したりすることなく連動引戸１０が形成される。
【００２５】
（２）連動引戸の作用、効果：
以下、図４を参照して、本連動引戸の作用、効果を説明する。
図４は、浴室出入口及びその近辺で各戸３１，３２，３３の位置を上から見て示している。同図（ａ）は、引戸１０が閉じた状態を示している。この状態で人が脱衣室Ｒ１から浴室１に入る場合に、脱衣室側の戸３３を左方へスライドさせる操作を行うものとする。この場合、浴室側の戸３１は移動せず、戸３２，３３の開方向Ｄ２は左へ向かう方向となる。
【００２６】
脱衣室側の戸３３が左方へ移動していくと、第二の対向面３３ａに接触したローラ６０が右回りに回転動作し、戸３２，３３が相対的に開動作する。また、連動手段７０により、第一の対向面３１ａに接触したローラ５０も右回りに回転動作し、戸３１，３２が相対的に開動作する。ローラ５０，６０が同じ形状でプーリ７７，７８が同じ形状であれば、同図（ｂ）（ｃ）に示すように、中央の戸３２が脱衣室側の戸３３の１／２の速度で開方向Ｄ２へ移動する。
同図（ｃ）に示す状態から引戸１０を閉める場合、脱衣室側の戸３３を右方へスライドさせる操作を行うことになる。浴室側の戸３１が固定されていれば、戸３２，３３の閉方向Ｄ３は左へ向かう方向となる。脱衣室側の戸３３が右方へ移動していくと、第二の対向面３３ａに接触したローラ６０が左回りに回転動作し、戸３２，３３が相対的に閉動作する。また、連動手段７０により、第一の対向面３１ａに接触したローラ５０も左回りに回転動作し、戸３１，３２が相対的に閉動作する。その結果、同図（ｂ）（ａ）に示すように、中央の戸３２が脱衣室側の戸３３よりも遅い速度で閉方向Ｄ３へ移動する。
【００２７】
また、浴室側の戸３１を開閉操作する場合、戸３１，３２の開方向が右へ向かう方向、戸３１，３２の閉方向が左へ向かう方向となる。同図（ａ）に示す状態から浴室側の戸３１を左方へスライドさせる操作を行うと、ローラ５０，６０が右回りに回転動作し、戸３１，３２が相対的に開動作し、戸３２，３３も相対的に開動作して、最終的に同図（ｄ）に示す状態となる。この状態から浴室側の戸３１を右方へスライドさせる操作を行うと、ローラ５０，６０が左回りに回転動作し、戸３１，３２が相対的に閉動作し、戸３２，３３も相対的に閉動作する。その結果、中央の戸３２が浴室側の戸３１よりも遅い速度で開閉動作する。
【００２８】
ここで、第一のローラ５０が第一の対向面３１ａに接触して回転動作をするだけで戸３１，３２が相対的に開閉動作し、第二のローラ６０が第二の対向面３３ａに接触して回転動作をするだけで第二の戸と第三の戸とが相対的に開閉動作するので、浴室側の戸３１及び脱衣室側の戸３３の構造が複雑とならない。
また、連動引戸１０を構成する戸同士の間が係合したり連結したりしていないので、同図（ｅ）に示すように、容易に各戸３１，３２，３３を単体で外すことができる。むろん、ドア枠に対して容易に各戸３１，３２，３３を単体で取り付けることができる。このように、各戸を単体で着脱するのが容易であるので、連動引戸の施工が容易となり、パッキンの交換等のメンテナンスも容易となる。
従って、本連動引戸によると、全ての戸を複雑な構造とすることを不要にさせ、連動引戸の施工性やメンテナンス性を向上させることが可能となる。また、連動ユニットを取り付ける戸だけで構造が完結するので、連動引戸を低コスト化させることができる。
【００２９】
さらに、各戸の上端や下端で戸同士を部材同士の係合やねじ止め等により連結しなくてもよいので、図２に示すように、各戸３１，３２，３３の上端部や下端部にパッキンＰ２，Ｐ３等の止水構造や気密構造を設けることが容易となる。
【００３０】
さらに、ローラ５０，６０が中央の戸３２から隣接する戸３１，３３に向かう方向Ｄ４，Ｄ５へ付勢されているので、ローラ５０，６０と対向面３１ａ，３３ａとが滑りにくくなる。また、対向面３１ａ，３３ａに凹凸があってもローラ５０，６０が凸部を乗り越えながら凹部に接触することが可能となるので、この点でもローラ５０，６０と対向面３１ａ，３３ａとが滑りにくくなる。図４に示すように、中央の戸に対向する面３１ａ，３３ａのうち、中桟の部分が縦框の部分よりも中央の戸から離れている場合でも、縦框の部分よりも中桟の部分でローラ５０，６０がさらに突出して接触する。これにより、戸の開閉動作をより確実に連動させることができる。
【００３１】
さらに、連動ユニット４０が框３０ａ，３０ｂ及び中桟３０ｅに設けられているので、連動ユニット４０が目に付きにくく、連動引戸の外観が良好である。
【００３２】
（３）変形例：
本発明の連動引戸は、種々の変形例が考えられる。
上述した接触部５０，６０及び連動手段７０を有する連動機構は、ユニット化されていると連動機構の交換が容易となるものの、ユニット化されていなくてもよい。ユニット化されない場合、例えば、中桟及び縦框に上述したケース７１及び蓋材７２の構造を形成すればよい。
各戸は、浴室側や脱衣室側の面が曲面とされてもよい。これらの戸も、並行して配することができ、本発明の連合引戸を構成することができる。
【００３３】
図５は、連動引戸の各種変形例を上から見て示している。同図（ａ）に示す連動引戸１１は、浴室側の戸の代わりに壁３４が設けられ、２枚の戸３２，３３がドア枠２０に対して並行して配されている。中央の戸（第三の戸）３２には、壁３４において中央の戸３２に対向する面（第一の対向面）３４ａに接触して中央の戸３２が開閉動作する際に回転する第一のローラ５０と、脱衣室側の戸（第二の戸）３３において中央の戸３２に対向する面（第二の対向面）３３ａに接触して戸３２，３３が相対的に開閉動作する際に回転する第二のローラ６０と、同じ向きに回るようにローラ５０，６０の回転動作を連動させる連動手段とを有する連動ユニット４０が設けられている。
この場合も、脱衣室側の戸３３を開閉操作すれば、該戸３３よりも遅い速度で中央の戸３２が連動して開閉方向Ｄ１へ開閉動作する。むろん、ローラ５０，６０が対向面３４ａ，３３ａに接触して回転動作をするだけで戸３２，３３が開閉動作するので、壁３４及び脱衣室側の戸３３の構造が複雑とならない。また、ドア枠２０に対して容易に各戸３２，３３を単体で着脱することができるので、連動引戸の施工性やメンテナンス性が向上する。
【００３４】
同図（ｂ）に示す連動引戸１２は、４枚の戸３５ａ，３５ｂ，３５ｃ，３５ｄがドア枠２０に対して並行して配されている。両側に戸が隣接した２枚の戸３５ｂ，３５ｃには、それぞれ連動ユニット４０ａ，４０ｂが設けられている。ここで、連動ユニット４０ａ，４０ｂのローラ同士が接触しないようにするため、連動ユニット４０ａ，４０ｂを上下にずらして戸３５ｂ，３５ｃに配置している。
なお、本発明にいう第一、第二、第三の戸は発明を表現するための便宜的な記載にすぎないため、戸３５ｂを第三の戸とみるときには戸３５ａ，３５ｃが便宜的にそれぞれ第一の戸、第二の戸となり、戸３５ｃを第三の戸とみるときには戸３５ｂ，３５ｄが便宜的にそれぞれ第一の戸、第二の戸となる。
【００３５】
この場合、最も脱衣室側の戸３５ｄを開閉操作すると、脱衣室から２番目の戸３５ｃに設けた連動ユニット４０ｂの両ローラが連動して回転動作し、戸３５ｃ，３５ｄが連動する。また、戸３５ｃが開閉動作する結果、脱衣室から３番目の戸３５ｂに設けた連動ユニット４０ａの両ローラが連動して回転動作し、戸３５ｂ，３５ｃが連動する。すなわち、戸３５ｄの開閉操作により３枚の戸３５ｂ，３５ｃ，３５ｄが連動することになる。むろん、最も浴室側の戸３５ａの開閉操作により３枚の戸３５ａ，３５ｂ，３５ｃが連動する。むろん、最も浴室側の戸３５ａと最も脱衣室側の戸３５ｄの構造が複雑とならず、ドア枠２０に対して各戸３５ａ，３５ｂ，３５ｃ，３５ｄを着脱するのが容易である。
同図（ｃ）に示すように、浴室側の戸の代わりに壁３５ｅが設けられ、３枚の戸３５ｂ，３５ｃ，３５ｄがドア枠２０に対して並行して配された連動引戸１３も、同様の作用、効果を奏する。
【００３６】
上述した連動機構を第三の戸に取り付ける位置は、縦枠及び中桟が設けられた位置に限定されない。図６は連動ユニットの取付位置を変えた連動引戸１４を示す斜視図、図７は縦枠２３の図示を省略して連動引戸１４を示す左側面図である。本連動引戸１４は、各戸３１，３２，３３に中桟が設けられておらず、中央の戸３２の縦框３０ａ，３０ｂ及び上框３０ｃに上側の連動ユニット（連動機構）４０が設けられ、中央の戸３２の縦框３０ａ，３０ｂ及び下框３０ｄに下側の連動ユニット（連動機構）４０が設けられている。むろん、連動機構は、縦框及び上框の部分にのみ設けられてもよいし、縦框及び下框の部分にのみ設けられてもよい。
【００３７】
連動引戸１４のように、第三の戸が中桟を有しておらず框を有する戸である場合、連動機構が框に設けられると、連動機構が目に付きにくいので、連動引戸の見た目を向上させることができる。むろん、図７に示すように、各戸の上端や下端で戸同士を部材同士の係合やねじ止め等により連結しなくてもよいので、各戸の上端部や下端部に止水構造や気密構造を設けることが容易となる。
なお、第三の戸が中桟も有する戸であれば、上述した上下の連動機構に加えて縦枠及び中桟に連動機構を設けてもよい。
【００３８】
上述した連動機構を設ける引戸は、上吊式の連動引戸に限定されない。図８は、縦枠２３の図示を省略して下戸車式の連動引戸１５の左側面を示している。本連動引戸１５は、各戸３１，３２，３３の下端に戸車３０ｉが取り付けられ、下枠２２上に各戸車３０ｉを載せるための３条の平行な溝が形成されている。また、各戸３１，３２，３３の上端にはそれぞれ開閉方向に向けた溝３０ｊが形成され、上枠２１には各溝３０ｊに挿入するための３条の平行な延出部２１ｂが形成されている。従って、各戸３１，３２，３３は、下枠２２の各溝に沿って平行に配される。
また、上框３０ｃ及び縦框３０ａ，３０ｂの上端とレール２１ａとの間の止水のためパッキンＰ４が上框３０ｃ及び縦框３０ａ，３０ｂ（又は延出部２１ｂ）に設けられ、下框３０ｄ及び縦框３０ａ，３０ｂの下端と下枠２２との間の止水のためパッキンＰ５が下框３０ｄ及び縦框３０ａ，３０ｂ（又は下枠２２）に設けられる。
【００３９】
本連動引戸１５も、各戸の上端や下端で戸同士を部材同士の係合やねじ止め等により連結しなくてもよいので、各戸の上端部や下端部に止水構造や気密構造を設けることが容易となる。
【００４０】
ところで、本発明にいう連動機構は、上述した実施形態に限定されない。図９（ａ）は、第三の戸に設けられる連動ユニット（連動機構）１４０の構成を示した平面図であり、蓋材の図示を省略している。図に示すように、連動手段１７０は、ケース１７１、蓋材、圧縮コイルばね１７３，１７４、ローラ軸支部材１７５，１７６、ねじりコイルばね１７７，１７８、無端ワイヤ（無端材）１７９、プーリ１８１，１８２，１８３，１８４、プーリ１８１，１８２を軸支するコ字状部材１８５、プーリ１８３，１８４を軸支するコ字状部材１８６、を有している。ローラ１５０，１６０の表面には、ワイヤ１７９を入れるための溝が形成されている。
ケース１７１には、圧縮コイルばね１７３，１７４に挿入しローラ軸支部材１７５，１７６を所定範囲で進退させる軸部１７１ａ，１７１ｂ、ねじりコイルばね１７７，１７８に挿入するための支軸１７１ｃ，１７１ｄ、コ字状部材１８５，１８６の一端を固定するための穴、コ字状部材１８５，１８６の他端を所定範囲で移動可能に規制するための長穴、が形成されている。ワイヤ１７９は、第一のローラ１５０から左回りに、プーリ１８３，１８２、第二のローラ１６０、プーリ１８４，１８１に架け渡されている。ねじりコイルばね１７７，１７８は、コ字状部材１８５，１８６の他端を左回り方向に付勢して、ワイヤ１７９の弛みを抑止している。
【００４１】
以上の構成により、第三の戸から第一の戸又は壁に向かう方向Ｄ４及びその反対方向へ所定範囲内で進退可能とされた第一のローラ１５０が第三の戸から第一の戸又は壁に向かう方向Ｄ４へ付勢される。また、第三の戸から第二の戸に向かう方向Ｄ５及びその反対方向へ所定範囲内で進退可能とされた第二のローラ１６０が第三の戸から第二の戸に向かう方向Ｄ５へ付勢される。従って、ローラ１５０，１６０は、図中二点鎖線で示したように、第三の戸の方へ押されるとばね１７３，１７４による付勢力に抗して退避する。交叉しないように架け渡されたワイヤ１７９により、ローラ１５０，１６０は回転動作が同じ向きの回転となるように連動する。
従って、連動ユニット１４０を用いても、全ての戸を複雑な構造とすることを不要にさせ、連動引戸の施工性やメンテナンス性を向上させる連動引戸を構成することができる。
【００４２】
図９（ｂ）は、第三の戸に設けられる連動ユニット（連動機構）２４０の構成を示した平面図であり、蓋材の図示を省略している。図に示すように、連動手段２７０は、ケース２７１、蓋材、圧縮コイルばね２７３，２７４、ローラ軸支部材２７５，２７６、無端ベルト（無端材）２７９、ローラ２８１，２８２，２８３，２８４、を有している。ローラ軸支部材２７５，２７６には、隣接する戸において第三の戸に対向する第一及び第二の対向面に対してそれぞれ間接的に接触する第一のローラ２５２及び第二のローラ２６２が回転可能に軸支されている。
ケース２７１には、圧縮コイルばね２７３，２７４に挿入しローラ軸支部材２７５，２７６を所定範囲で進退させる軸部２７１ａ，２７１ｂ、ローラ２８１〜２８４の取付部、が形成されている。ベルト２７９は、第一のローラ２５２から左回りに、ローラ２８３，２８２、第二のローラ２６２、ローラ２８４，２８１に架け渡され、周回可能とされている。ベルト２７９は、ゴムのような弾性材等、滑り止め材として用いられる材質の無端ベルトが好ましく、表面に凹凸等の摩擦力を向上させる手段が設けられてもよい。なお、ベルト２７９の弛みを抑止するため、ローラ２８３をＤ４、Ｄ５方向に所定範囲内で移動可能としながらＤ５の向きに付勢し、ローラ２８４をＤ４、Ｄ５方向に所定範囲内で移動可能としながらＤ４の向きに付勢してもよい。
【００４３】
以上の構成により、ベルト２７９のうち第一のローラ２５２に接触した部分が第一の戸又は壁に接触する第一の接触部２５０となり、ベルト２７９のうち第二のローラ２６２に接触した部分が第二の戸に接触する第二の接触部２６０となる。第一の接触部２５０は第三の戸から第一の戸に向かう方向Ｄ４へ付勢され、第二の接触部２６０は第三の戸から第二の戸に向かう方向Ｄ５へ付勢される。また、図中二点鎖線で示したように、接触部２５０，２６０は、第三の戸の方へ押されるとばね２７３，２７４による付勢力に抗して退避する。そして、第一の接触部２５０は、第一の戸又は壁の対向面に接触して第一の戸又は壁と第三の戸とが相対的に開閉動作する際に周回する（回る）。第二の接触部２６０は、第二の戸の対向面に接触して第二の戸と第三の戸とが相対的に開閉動作する際に周回する（回る）。また、交叉しないように架け渡されたベルト２７９により、両接触部２５０，２６０は周回動作が同じ向きの周回動作（回る動作）となるように連動する。
従って、連動ユニット２４０を用いても、全ての戸を複雑な構造とすることを不要にさせ、連動引戸の施工性やメンテナンス性を向上させる連動引戸を構成することができる。
【００４４】
ところで、第一の接触部と第一の対向面の少なくとも一方に該対向面と第一の接触部との摩擦力を増加させる手段を設け、第二の接触部と第二の対向面の少なくとも一方に該対向面と第二の接触部との摩擦力を増加させる手段を設けてもよい。図１０（ａ）は、第三の戸に設けられる連動ユニット４１の構成を示した平面図であり、蓋材の図示を省略している。本連動ユニット４１の連動手段７０は上述した連動ユニット４０の連動手段７０と同じであるが、ローラ５０，６０の表面にゴム等の滑り止め材（摩擦力を増加させる手段）５２，６２が設けられている。これにより、第一のローラと第一の戸又は壁とが滑りにくくなり、第二のローラと第二の戸とが滑りにくくなるので、より確実に戸の開閉動作を連動させることができる。
【００４５】
図１０（ｂ）は、第三の戸に設けられる連動ユニット４２の構成を示した平面図であり、蓋材の図示を省略している。本連動ユニット４２は、ローラ５０，６０の表面に設けられたゴム等の滑り止め材（摩擦力を増加させる手段）５３，６３の表面に凹凸が形成されている。これにより、第一のローラと第一の戸又は壁とがさらに滑りにくくなり、第二のローラと第二の戸とがさらに滑りにくくなるので、さらに確実に戸の開閉動作を連動させることができる。
【００４６】
図１０（ｃ）は、第三の戸３２に設けられた連動ユニット４２と第二の戸３３の要部を水平断面で示している。第二の戸の対向面３３ａには、ローラの滑り止め材６３が接触する部位に滑り止め材（摩擦力を増加させる手段）３３ｃが設けられている。この滑り止め材３３ｃの表面には、ローラの滑り止め材６３の凹凸形状に合わせた凹凸が形成されている。図示していないが、第一の戸又は壁の対向面にも、ローラの滑り止め材５３が接触する部位に滑り止め材を設けてもよい。
以上により、第一のローラと第一の戸又は壁とがさらに滑りにくくなり、第二のローラと第二の戸とがさらに滑りにくくなるので、さらに確実に戸の開閉動作を連動させることができる。
【００４７】
むろん、第一の対向面において第一の接触部と接触する部位にのみ滑り止め材を設けたり、第二の対向面において第二の接触部と接触する部位にのみ滑り止め材を設けたりしても、同様の作用、効果を奏する。また、別途滑り止め部品を用いることなく、ローラの表面に直接凹凸を形成しても摩擦力を増加させる手段が構成され、第一及び第二の対向面において第一又は第二の接触部と接触する部位に直接凹凸を形成しても摩擦力を増加させる手段が構成される。
【００４８】
上述してきた本発明の連動引戸は、浴室用の引戸に限定されない。例えば、建家内の台所、洗面所、居室、等の出入口に設けられる引戸や、屋外に設けた倉庫等の出入口に設けられる引戸等にも、本発明の連動引戸を適用可能である。
【００４９】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００５０】
【図１】上吊式とした浴室用の連動引戸の例を示す斜視図。
【図２】図１に示した連動引戸を左側面から見て示す図。
【図３】中央の戸に設けられた連動ユニットの構成を示す図。
【図４】連動引戸の作用を説明する平面図。
【図５】連動引戸の各種変形例を示す平面図。
【図６】連動ユニットの取付位置を変えた連動引戸の例を示す斜視図。
【図７】連動ユニットの取付位置を変えた連動引戸の例を示す左側面図。
【図８】下戸車式とした連動引戸の例を示す左側面図。
【図９】連動ユニットの各種変形例を示す図。
【図１０】摩擦力を増加させる手段を設けた連動引戸の各種変形例を示す図。
【符号の説明】
【００５１】
１…浴室、１０〜１５…連動引戸、
２０…ドア枠、２１…上枠、２２…下枠、
３０ａ，３０ｂ…縦框、３０ｃ…上框、３０ｄ…下框、３０ｅ…中桟、
３０ｆ，３０ｇ…面材、３０ｈ…ランナー部材、３０ｉ…戸車、
３１…第一の戸、３１ａ…第一の対向面、
３２…第三の戸、３２ａ…浴室面、３２ｂ…脱衣室面、
３３…第二の戸、３３ａ…第二の対向面、
３３ｃ，５２，５３，６２，６３…摩擦力を増加させる手段、
３４…壁、３４ａ…第一の対向面、
４０〜４２，１４０，２４０…連動ユニット（連動機構）、
５０，１５０…第一のローラ（第一の接触部）、
６０，１６０…第二のローラ（第二の接触部）、
７０…連動手段、
７３，７４…ねじりコイルばね、７５，７６…傾動部材、
２５０…第一の接触部、２６０…第二の接触部、
２７９…無端ベルト（無端材）、
Ｄ１…開閉方向、Ｄ２…開方向、Ｄ３…閉方向、
Ｄ４…内方向（第一の戸に向かう方向）、Ｄ５…外方向（第二の戸に向かう方向）、
Ｐ１〜Ｐ５…パッキン、
Ｒ１…脱衣室、
【図１】
2009091756.tif 000003
【図２】
2009091756.tif 000004
【図３】
2009091756.tif 000005
【図４】
2009091756.tif 000006
【図５】
2009091756.tif 000007
【図６】
2009091756.tif 000008
【図７】
2009091756.tif 000009
【図８】
2009091756.tif 000010
【図９】
2009091756.tif 000011
【図１０】
2009091756.tif 000012